(57)【要約】【課題】ユニットが搭載されるシャーシ本体を備えた電子機器のシャーシについて、コストダウンすることを目的とする。【解決手段】電子機器のシャーシ２０は、シャーシ本体２３を有している。このシャーシ本体２３には、ＯＤＤユニット２１の側面２１Ａ，２１Ｂを支持する側面支持部３８，４０と、側面支持部３８，４０の高さ方向の端部に形成され、ＯＤＤユニット２１の上面２１Ｃ，２１Ｄを支持する上面支持部４２，４４と、ＯＤＤユニット２１の背面２１Ｆと当接するストッパ部６０が形成されている。【選択図】図２Ａ
2014211931.tif 000002
【特許請求の範囲】
【請求項１】
シャーシ本体と、
前記シャーシ本体に形成され、前記シャーシ本体に搭載されるユニットの側面を支持する側面支持部と、
前記側面支持部の高さ方向の端部に形成され、前記ユニットの上面を支持する上面支持部と、
前記シャーシ本体に形成され、前記ユニットの背面と当接するストッパ部と、
を備えた電子機器のシャーシ。
【請求項２】
前記シャーシ本体には、前記側面支持部として、前記ユニットの一方の側面を支持する第一側面支持部と、前記ユニットの他方の側面を支持する第二側面支持部とが形成され、
前記シャーシ本体における前記第一側面支持部の側には、前記ユニットを前記第二側面支持部の側に付勢するバネ部が形成されている、
請求項１に記載の電子機器のシャーシ。
【請求項３】
前記シャーシ本体には、前記ユニットの底面と接触し前記ユニットを前記上面支持部の側に付勢する付勢部材が設けられている、
請求項１又は請求項２に記載の電子機器のシャーシ。
【請求項４】
前記側面支持部、前記上面支持部、及び、前記ストッパ部は、板金加工により前記シャーシ本体に一体に形成されている、
請求項１〜請求項３のいずれか一項に記載の電子機器のシャーシ。
【請求項５】
請求項１〜請求項４のいずれか一項に記載の電子機器のシャーシと、
前記ユニットと、
を備えた電子機器。
【請求項６】
前記ユニットに設けられたユニット側コネクタと、
前記ユニット側コネクタと接続されるシャーシ側コネクタと、
前記シャーシ本体に形成された取付部と、
前記ユニットと前記ストッパ部との接離方向に相対移動可能に前記シャーシ側コネクタを前記取付部に固定する固定部とをさらに備えた、
請求項５に記載の電子機器。
【発明の詳細な説明】
【技術分野】
【０００１】
本願の開示する技術は、電子機器のシャーシ、及び、電子機器に関する。
【背景技術】
【０００２】
従来、シャーシ本体と、ブラケットやホルダ等の中間部材を介してシャーシ本体に取り付けられたユニットとを備えた電子機器が知られている。一般に、ブラケットやホルダ等の中間部材は、ネジによりシャーシ本体に固定される。
【先行技術文献】
【特許文献】
【０００３】
【特許文献１】特開２００８−１７１４６０号公報
【特許文献２】特開２００５−１２９４５３号公報
【特許文献３】特開２００６−１４７３０５号公報
【発明の概要】
【発明が解決しようとする課題】
【０００４】
しかしながら、上述のように、ユニットがブラケットやホルダ等の中間部材を介してシャーシ本体に取り付けられる場合、部品点数の増加によりコストアップとなる。また、ブラケットやホルダ等の中間部材が、ネジによりシャーシ本体に固定される場合、作業工数の増加によりコストアップとなる。
【０００５】
そこで、本願の開示する技術は、一つの側面として、ユニットが搭載されるシャーシ本体を備えた電子機器のシャーシについて、コストダウンすることを目的とする。
【課題を解決するための手段】
【０００６】
上記目的を達成するために、本願の開示する技術によれば、ユニットが搭載されるシャーシ本体を備えた電子機器のシャーシが提供される。シャーシ本体には、ユニットの側面を支持する側面支持部と、側面支持部の高さ方向の端部に形成され、ユニットの上面を支持する上面支持部と、ユニットの背面と当接するストッパ部が形成されている。
【発明の効果】
【０００７】
本願の開示する技術によれば、ユニットが搭載されるシャーシ本体を備えた電子機器のシャーシについて、コストダウンすることができる。
【図面の簡単な説明】
【０００８】
【図１】電子機器の分解斜視図である。
【図２Ａ】光ディスクドライブユニットをシャーシ本体に搭載する過程を示す斜視図である。
【図２Ｂ】光ディスクドライブユニットをシャーシ本体に搭載した状態を示す斜視図である。
【図３】図２Ｂの３−３線断面図である。
【図４】シャーシ側コネクタ周辺部の分解斜視図である。
【図５】シャーシ側コネクタ周辺部の平面図である。
【図６】シャーシ側コネクタ周辺部の縦断面図である。
【図７】電子機器における光ディスクドライブユニット周辺部の縦断面図である。
【図８】リアカバーの斜視図である。
【図９Ａ】光ディスクドライブユニットがストッパ部に当接している状態を示す縦断面図である。
【図９Ｂ】光ディスクドライブユニットがリア側リブに当接している状態を示す縦断面図である。
【図１０Ａ】光ディスクドライブユニットがストッパ部に当接している状態でのかしめナットと孔部との位置関係を示す平面図である。
【図１０Ｂ】光ディスクドライブユニットがリア側リブに当接している状態でのかしめナットと孔部との位置関係を示す平面図である。
【図１１Ａ】光ディスクドライブユニットがストッパ部に当接している状態でのかしめナットと孔部との位置関係を示す縦断面図（図９ＡのＡ部拡大図）である。
【図１１Ｂ】光ディスクドライブユニットがリア側リブに当接している状態でのかしめナットと孔部との位置関係を示す縦断面図（図９ＢのＢ部拡大図）である。
【発明を実施するための形態】
【０００９】
以下、本願の開示する技術の一実施形態を説明する。
【００１０】
図１に示されるように、本実施形態に係る電子機器１０は、表示器一体型のパーソナルコンピュータとされている。この電子機器１０は、表示ユニット１１、フロントパネル１２、シャーシユニット１３、リアカバー１４、及び、スタンド１５を備えている。
【００１１】
表示ユニット１１は、四角形のパネル状に形成されており、フロントパネル１２は、表示ユニット１１の外周部に沿う四角形の枠状に形成されている。
【００１２】
シャーシユニット１３は、板金製のシャーシ２０と、ユニットの一例である薄型の光ディスクドライブユニット２１（以下、略してＯＤＤユニット２１と称する）と、制御基板２２等を有している。ＯＤＤユニット２１及び制御基板２２は、シャーシ２０の本体部を形成するシャーシ本体２３に搭載されている。リアカバー１４は、カバーの一例であり、シャーシ２０を収容し得る長方形の平皿状に形成されている。
【００１３】
シャーシ２０は、リアカバー１４に固定され、表示ユニット１１は、シャーシ２０に対するリアカバー１４側と反対側からシャーシ２０に固定される。また、フロントパネル１２は、表示ユニット１１に対するリアカバー１４側と反対側からリアカバー１４に固定される。
【００１４】
スタンド１５は、ベースパネル２５と、支柱２６と、ヒンジ部２７と、ヒンジパネル２８とを有している。支柱２６の下端は、ベースパネル２５に固定されており、ヒンジパネル２８は、ヒンジ部２７を介して支柱２６の上端に取り付けられている。このヒンジパネル２８は、リアカバー１４に形成された開口を通じてシャーシ本体２３のヒンジ結合部３０に固定される。
【００１５】
また、この電子機器１０は、より具体的には、次のように構成されている。すなわち、図２Ａに示されるように、シャーシ２０の本体部を形成するシャーシ本体２３は、板状に形成されている。このシャーシ本体２３における横方向（矢印Ｃ方向）の一方側には、ＯＤＤユニット２１を搭載するための搭載領域３２が確保されている。
【００１６】
この搭載領域３２におけるシャーシ本体２３の縦方向（矢印Ｌ方向）の両側には、シャーシ２０の板金加工時にシャーシ２０の一部が切り起こされることにより形成された二組の一対の切り起こし片３４，３６が形成されている。この二組の一対の切り起こし片３４，３６は、シャーシ本体２３に対して起立された側面支持部３８，４０と、この側面支持部３８，４０の高さ方向の端部（上端部）に形成された上面支持部４２，４４とをそれぞれ有している。
【００１７】
一方の側の切り起こし片３４に形成された上面支持部４２は、側面支持部３８の高さ方向の端部から他方の側の切り起こし片３６に向けて折り曲げられている。これに対して、他方の側の切り起こし片３６に形成された上面支持部４４は、側面支持部４０の高さ方向の端部から一方の側の切り起こし片３４に向けて折り曲げられている。
【００１８】
そして、図２Ａ，図２Ｂに示されるように、ＯＤＤユニット２１は、シャーシ本体２３における横方向の一方側から搭載領域３２に挿入される。薄型直方体のＯＤＤユニット２１は、搭載領域３２に搭載された状態では、板状のシャーシ本体２３と重ね合わされた状態とされる。
【００１９】
また、図３に示されるように、ＯＤＤユニット２１が搭載領域３２に搭載された状態では、一方の側面支持部３８によってＯＤＤユニット２１の一方の側面２１Ａが支持され、他方の側面支持部４０によってＯＤＤユニット２１の他方の側面２１Ｂが支持される。さらに、このようにＯＤＤユニット２１が搭載領域３２に搭載された状態では、上面支持部４２，４４によってＯＤＤユニット２１の上面２１Ｃ，２１Ｄが支持される。なお、上面２１Ｄは、上面２１Ｃに対して低い位置に形成されている。一方の側面支持部３８は、第一側面支持部の一例であり、他方の側面支持部４０は、第二側面支持部の一例である。
【００２０】
また、図２Ａに示されるように、シャーシ本体２３（搭載領域３２）における一方の側面支持部３８の側には、シャーシ２０の板金加工時にシャーシ２０の一部が切り起こされることにより形成されたバネ部４６が形成されている。このバネ部４６は、シャーシ本体２３に対して起立されてシャーシ本体２３から延出する延出部４８と、この延出部４８の高さ方向の端部（上端部）に形成された腕部５０とを有している。
【００２１】
腕部５０は、一対の切り起こし片３４，３６の向かい合う方向（矢印Ｌ方向）を板厚方向として形成されており、延出部４８の高さ方向の端部から搭載領域３２の奥側（後述するシャーシ側コネクタ６４の側）に向けて延びている。この腕部５０の先端部には、延出部４８よりも他方の側面支持部４０の側にオフセットされた押圧部５２が形成されている。そして、ＯＤＤユニット２１が搭載領域３２に搭載された状態では、ＯＤＤユニット２１がバネ部４６の押圧部５２によって他方の側面支持部４０の側に付勢される。なお、他方の側面支持部４０の側は、電子機器１０が正規の向きで設置された状態において、鉛直方向下側とされる。
【００２２】
また、上述の側面支持部３８，４０、上面支持部４２，４４、及び、腕部５０における搭載領域３２の入口側の各端部には、折曲片５４がそれぞれ形成されている。この折曲片５４は、いずれも自由端側に向かうに従ってＯＤＤユニット２１から遠ざかるように傾斜して形成されている。この折曲片５４が形成されることにより、ＯＤＤユニット２１の搭載領域３２への挿入時に、側面支持部３８，４０、上面支持部４２，４４、及び、腕部５０とＯＤＤユニット２１との干渉が抑制されるようになっている。
【００２３】
また、シャーシ本体２３には、一対のガスケット５６，５８が設けられている。この一対のガスケット５６，５８は、いずれも付勢部材の一例であり、導電性及び弾性を有している。各ガスケット５６，５８は、長尺状に形成されており、シャーシ本体２３の横方向（すなわち、矢印Ｃ方向であってＯＤＤユニット２１の奥行方向）を長手方向として延在している。一方のガスケット５６は、一方の上面支持部４２と対向するように上面支持部４２の直下に設けられており、他方のガスケット５８は、他方の上面支持部４４と対向するように上面支持部４４の直下に設けられている。
【００２４】
そして、ＯＤＤユニット２１が搭載領域３２に搭載された状態では、一対のガスケット５６，５８がＯＤＤユニット２１の底面２１Ｅと接触し、このＯＤＤユニット２１が一対のガスケット５６，５８によって上面支持部４２，４４の側に付勢される。また、ＯＤＤユニット２１は、一対のガスケット５６，５８によって付勢されることにより上面支持部４２，４４に押し付けられる（図３も参照）。
【００２５】
また、図２Ａに示されるように、搭載領域３２の奥側の端部（入口３２Ａ側と反対側の端部）には、ストッパ部６０及び取付部６２が形成されている。このストッパ部６０及び取付部６２は、シャーシ２０の板金加工時に同一のプレス工程において形成されたものである。このストッパ部６０及び取付部６２は、シャーシ２０の一部が切り曲げられることによりシャーシ本体２３の厚み方向に突出して形成されている。ストッパ部６０は、円弧状に形成されている。ＯＤＤユニット２１が搭載領域３２の奥側まで挿入された状態では、ＯＤＤユニット２１がストッパ部６０と当接される（図７参照）。
【００２６】
取付部６２は、シャーシ側コネクタ６４を取り付ける台の機能を果たすものであり、台形状に形成されている。この取付部６２は、より具体的には、図４に示されるように、水平部６６と、この水平部６６の両側に形成された一対の脚部６８とを有している。水平部６６には、軸部の一例である一対のかしめナット７０が設けられている。一対のかしめナット７０は、シャーシ２０の縦方向（矢印Ｌ方向）に離間して配置されている。
【００２７】
シャーシ側コネクタ６４は、ＯＤＤユニット２１の背面２１Ｆに設けられたユニット側コネクタ７２（図２Ａ，図２Ｂ参照）と接続されるものである。このシャーシ側コネクタ６４の背面から延びるケーブル７４は、図１に示される制御基板２２と接続されている。図４に示されるように、シャーシ側コネクタ６４は、コネクタ本体７６と、このコネクタ本体７６と一体に形成されたホルダ７８とを有している。ホルダ７８の側部には、シャーシ側コネクタ６４の横幅方向に拡がる一対のフランジ部８０が形成されている。
【００２８】
図５に示されるように、各フランジ部８０におけるかしめナット７０と対応する部位には、平面視にて概略四角形状の孔部８２がそれぞれ形成されている。この孔部８２は、両側一対の縁部８２Ａを有している。この両側一対の縁部８２Ａは、図２Ａ，図２Ｂに示されるＯＤＤユニット２１とストッパ部６０との接離方向である矢印Ｃ方向に延びている。このＯＤＤユニット２１とストッパ部６０との接離方向は、シャーシ本体２３の延在方向に沿う方向の一例である。
【００２９】
図５に示されるように、各フランジ部８０は、取付部６２の水平部６６と重ね合わされており、かしめナット７０は、両側一対の縁部８２Ａの延びる方向を孔部８２に対する相対移動方向として孔部８２に挿入されている。
【００３０】
また、両側一対の縁部８２Ａの間の幅は、かしめナット７０の外径よりも僅かに大きい寸法に設定されている。そして、かしめナット７０は、両側一対の縁部８２Ａの対向方向への移動が両側一対の縁部８２Ａにより規制されている。両側一対の縁部８２Ａの間の幅は、一対のかしめナット７０及びシャーシ側コネクタ６４のピッチ公差等を考慮して設定される。
【００３１】
図６に示されるように、かしめナット７０が孔部８２に挿入された状態では、ネジ８４がかしめナット７０に螺合される。このかしめナット７０、孔部８２、及び、ネジ８４は、固定部８６を形成しており、この固定部８６により、シャーシ側コネクタ６４は、上述のＯＤＤユニット２１とストッパ部６０との接離方向（図２Ａ，図２Ｂに示される矢印Ｃ方向）に相対移動可能に取付部６２に固定されている。また、かしめナット７０の上部７０Ａは、フランジ部８０の上面８０Ａに対して突出しており、ネジ８４の頭部８４Ａは、フランジ部８０の上面８０Ａに対して離間されている。つまり、ネジ８４の頭部８４Ａとフランジ部８０の上面８０Ａとの間には、隙間Ｒが設けられている。
【００３２】
図７に示されるように、リアカバー１４は、シャーシ２０及びＯＤＤユニット２１を覆っている。リアカバー１４は、電子機器１０の背面部を形成するリアカバー本体８８と、このリアカバー本体８８の周囲に形成された周壁部９０とを有している。周壁部９０のうちの一の側壁部９２（右側壁）は、ＯＤＤユニット２１の前面２１Ｇと近接して対向されている。この側壁部９２には、ＯＤＤユニット２１のディスク挿入口９４と連通する開口９６が形成されている。開口９６は、図８に示されるように、リアカバー１４の縦方向（矢印Ｌ方向）に延びるスリット状に形成されている。
【００３３】
また、側壁部９２には、一対のフロント側リブ９８と、一対のリア側リブ１００が形成されている。一対のフロント側リブ９８は、開口９６に対してリアカバー１４の前方側に形成されており、一対のリア側リブ１００は、開口９６に対してリアカバー１４の後方側に形成されている。
【００３４】
一対のフロント側リブ９８は、開口９６の長手方向（つまり、リアカバー１４の縦方向である矢印Ｌ方向）に離間して形成されている。同様に、一対のリア側リブ１００も、開口９６の長手方向に離間して形成されている。また、一対のフロント側リブ９８の一方は、一対のリア側リブ１００の一方と開口９６の長手方向における同じ位置に形成されており、一対のフロント側リブ９８の他方は、一対のリア側リブ１００の他方と開口９６の長手方向における同じ位置に形成されている。
【００３５】
また、図８に示されるように、一対のフロント側リブ９８の一端、及び、一対のリア側リブ１００の一端は、開口９６の周縁部９６Ａに接続されている。さらに、一対のリア側リブ１００の一部は、開口９６の周縁部９６Ａに対してリアカバー１４の横方向内側（矢印Ｃ１側）に突出している。この一対のリア側リブ１００は、規制部及びリブの一例である。なお、図８において、一対のリア側リブ１００は、リアカバー１４の縦方向である矢印Ｌ方向に離間されているが、このリアカバー１４の縦方向である矢印Ｌ方向は、図１に示されるように、ＯＤＤユニット２１の横幅方向と一致する方向とされている。
【００３６】
図７に示されるように、ＯＤＤユニット２１が搭載領域３２に挿入された状態において、リア側リブ１００は、ＯＤＤユニット２１の前面２１Ｇと対向する。リア側リブ１００とストッパ部６０との間の寸法は、ＯＤＤユニット２１における背面２１Ｆと前面２１Ｇとの間の寸法（奥行寸法）よりも僅かに大きく設定されている。
【００３７】
従って、ＯＤＤユニット２１は、ストッパ部６０とリア側リブ１００との間を僅かにスライド可能になっている。つまり、ＯＤＤユニット２１は、図９Ａの如く背面２１Ｆがストッパ部６０に当接し前面２１Ｇがリア側リブ１００から離間する位置と、図９Ｂの如く前面２１Ｇがリア側リブ１００に当接し背面２１Ｆがストッパ部６０から離間する位置とに変位可能となっている。
【００３８】
また、図９Ａに示されるように、ＯＤＤユニット２１の背面２１Ｆがストッパ部６０に当接されている状態においては、図１０Ａに示されるように、かしめナット７０は、孔部８２における一方側（矢印Ｃ方向における一方側）に位置する。そして、このかしめナット７０は、孔部８２の一方側の端部８２Ｂと当接する（図１１Ａも参照）。この状態において、孔部８２の他方側の端部８２Ｃとかしめナット７０との間の隙間Ｅは、上述の図７に示されるＯＤＤユニット２１とリア側リブ１００との間の隙間Ｄよりも大となっている。
【００３９】
従って、図９Ｂの如くＯＤＤユニット２１がリア側リブ１００の側に移動してＯＤＤユニット２１の前面２１Ｇがリア側リブ１００に当接されている状態では、図１０Ｂの如く孔部８２の他方側の端部８２Ｃとかしめナット７０との間には、隙間Ｅが確保される。孔部８２の他方側の端部８２Ｃとかしめナット７０との間の隙間Ｅは、ＯＤＤユニット２１の部品公差及び組付公差等を考慮して設定される。
【００４０】
また、図２Ａに示されるように、ＯＤＤユニット２１が搭載領域３２に挿入される際に、シャーシ側コネクタ６４には、ユニット側コネクタ７２からの挿入荷重が入力される。これにより、図１０Ａ，図１１Ａに示されるように、かしめナット７０は、孔部８２の一方側の端部８２Ｂに当接される。
【００４１】
この状態で、図９Ａに示される如く、ＯＤＤユニット２１が搭載領域３２に挿入されて、このＯＤＤユニット２１がストッパ部６０に当接されると、これに伴って、シャーシ側コネクタ６４とユニット側コネクタ７２との接続が完了される。このようにＯＤＤユニット２１の搭載領域３２への挿入に伴ってシャーシ側コネクタ６４とユニット側コネクタ７２との接続が完了されるように、ストッパ部６０やシャーシ側コネクタ６４の位置等は設定されている。
【００４２】
次に、本実施形態の作用及び効果について説明する。
【００４３】
以上詳述したように、本実施形態によれば、ＯＤＤユニット２１が搭載されるシャーシ本体２３には、図２Ａに示されるように、ＯＤＤユニット２１を支持するための側面支持部３８，４０、上面支持部４２，４４、及び、ストッパ部６０が形成されている。従って、例えば、ＯＤＤユニット２１がブラケットやホルダ等の中間部材を介してシャーシ本体２３に取り付けられる場合に比して、部品点数を削減することができる。また、側面支持部３８，４０、上面支持部４２，４４、ストッパ部６０、リア側リブ１００（図７参照）によってＯＤＤユニット２１をシャーシ本体２３に保持することができるので、ネジ止め作業が不要であり、作業工数も削減することができる。以上より、コストダウンすることができる。
【００４４】
また、ブラケットやホルダ等の中間部材を介さずにＯＤＤユニット２１をシャーシ本体２３に組み付けることができる。従って、電子機器１０の組立性を向上させることができると共に、ＯＤＤユニット２１の交換時の作業性も向上させることができる。
【００４５】
また、図２Ａに示されるように、シャーシ側コネクタ６４は、シャーシ本体２３に予め固定されている。従って、例えば、ＯＤＤユニット２１のシャーシ本体２３への組付後に、シャーシ側コネクタ６４のシャーシ本体２３への組付と、シャーシ側コネクタ６４とユニット側コネクタ７２の接続を行う場合に比して、シャーシ側コネクタ６４の接続スペースを削減できる。これにより、シャーシ２０の小型化を図ることができる。
【００４６】
また、シャーシ本体２３における一方の側面支持部３８の側には、バネ部４６が形成されており、ＯＤＤユニット２１は、このバネ部４６により、他方の側面支持部４０の側に付勢される。従って、ＯＤＤユニット２１が一対の側面支持部３８，４０の対向方向（すなわち、シャーシ２０の縦方向である矢印Ｌ方向）にがたつくことを抑制することができる。
【００４７】
さらに、シャーシ本体２３には、ＯＤＤユニット２１の奥行方向（すなわち、シャーシ２０の横方向である矢印Ｃ方向）を長手方向として延在する一対のガスケット５６，５８が設けられている。この一対のガスケット５６，５８は、図３に示されるように、ＯＤＤユニット２１の底面２１Ｅと接触し、ＯＤＤユニット２１を上面支持部４２，４４の側に付勢している。従って、従って、ＯＤＤユニット２１が一対の側面支持部３８，４０の高さ方向（すなわち、シャーシ２０の厚み方向である矢印Ｔ方向）にがたつくことも抑制することができる。
【００４８】
また、図７に示されるように、リア側リブ１００とストッパ部６０との間の寸法は、ＯＤＤユニット２１における背面２１Ｆと前面２１Ｇとの間の寸法（奥行寸法）よりも僅かに大きく設定されている。これにより、ＯＤＤユニット２１は、図９Ａ，図９Ｂに示されるように、ストッパ部６０とリア側リブ１００との間を僅かにスライド可能になっている。
【００４９】
しかしながら、シャーシ側コネクタ６４は、このＯＤＤユニット２１のスライド方向（つまり、ＯＤＤユニット２１とストッパ部６０との接離方向である矢印Ｃ方向）に相対移動可能に取付部６２に固定されている。従って、衝撃が加わる等によりＯＤＤユニット２１がリア側リブ１００の側にスライドした場合でも、シャーシ側コネクタ６４がＯＤＤユニット２１と一体にスライドする。これにより、シャーシ側コネクタ６４とユニット側コネクタ７２との接触不良（端子のずれや摩耗など）を抑制することができる。
【００５０】
しかも、ＯＤＤユニット２１の背面２１Ｆがストッパ部６０に当接されている状態において、孔部８２の他方側の端部８２Ｃとかしめナット７０との間の隙間Ｅ（図１０Ａ参照）は、ＯＤＤユニットとリア側リブ１００との間の隙間Ｄ（図７参照）よりも大である。従って、図９Ｂに示されるように、衝撃が加わる等により、ＯＤＤユニット２１がリア側リブ１００の側に移動してＯＤＤユニット２１の前面２１Ｇがリア側リブ１００に当接されても、孔部８２の他方側の端部８２Ｃとかしめナット７０との間には、隙間Ｅが確保される。これにより、シャーシ側コネクタ６４及びユニット側コネクタ７２との間に荷重が作用することを抑制することができるので、シャーシ側コネクタ６４とユニット側コネクタ７２との接触不良をより効果的に抑制することができる。
【００５１】
また、図５に示されるように、孔部８２における両側一対の縁部８２Ａの間の幅は、かしめナット７０の外径よりも僅かに大きい寸法に設定されている。そして、かしめナット７０は、両側一対の縁部８２Ａの延びる方向を孔部８２に対する相対移動方向として孔部８２に挿入されると共に、両側一対の縁部８２Ａの対向方向への移動が両側一対の縁部８２Ａにより規制されている。これにより、シャーシ側コネクタ６４の横幅方向への移動を抑制しつつ、このシャーシ側コネクタ６４をＯＤＤユニット２１とストッパ部６０との接離方向に精度良くスライドさせることができる。
【００５２】
また、図８に示されるように、一対のリア側リブ１００は、ＯＤＤユニット２１の横幅方向（矢印Ｃ方向）に離間して形成されている。従って、例えば、ＯＤＤユニット２１の横幅方向の全長に亘ってＯＤＤユニット２１のスライドを規制する構造（例えばＯＤＤユニット２１の横幅方向に延びるリブを用いる場合）に比して、ＯＤＤユニット２１の位置規制の精度を高めることができる。
【００５３】
つまり、ＯＤＤユニット２１の横幅方向に延びるリブを用いる場合には、ＯＤＤユニット２１のスライドを線で規制することになる。しかしながら、ＯＤＤユニット２１の横幅方向に離間する一対のリア側リブ１００によれば、ＯＤＤユニット２１のスライドを二箇所の点で規制することができる。従って、ＯＤＤユニット２１のスライドを精度良く規制することができる。これにより、ＯＤＤユニット２１がリア側リブ１００の側に移動してＯＤＤユニット２１の前面２１Ｇがリア側リブ１００に当接されても、孔部８２の他方側の端部８２Ｃとかしめナット７０との間の隙間Ｅを精度良く確保することができる。
【００５４】
また、図６に示されるように、かしめナット７０の上部７０Ａは、フランジ部８０の上面８０Ａに対して突出している。そして、ネジ８４の頭部８４Ａとフランジ部８０の上面８０Ａとの間には、隙間Ｒが設けられている。従って、ネジ８４の頭部８４Ａとフランジ部８０の上面８０Ａとの干渉を抑制することができる。これにより、ＯＤＤユニット２１がスライドする際に、ＯＤＤユニット２１と共にシャーシ側コネクタ６４を円滑にスライドさせることができる。
【００５５】
また、ＯＤＤユニット２１のシャーシ本体２３への搭載時には、かしめナット７０が孔部８２の一方側の端部８２Ｂに当接された状態で、ＯＤＤユニット２１がストッパ部６０に当接される（図９Ａ，図１０Ａ参照）。そして、これに伴って、シャーシ側コネクタ６４は、ユニット側コネクタ７２と接続される。従って、シャーシ側コネクタ６４とユニット側コネクタ７２との接続時の作業性を容易にすることができる。
【００５６】
また、図２Ａに示されるように、上述の側面支持部３８，４０、上面支持部４２，４４、ストッパ部６０、バネ部４６、及び、取付部６２は、板金加工によりシャーシ本体２３に一体に形成されている。従って、各部を容易に形成することができるので、このことによってもコストダウンすることができる。
【００５７】
また、シャーシ本体２３の厚み方向に突出するストッパ部６０及び取付部６２は、板金加工時に同一のプレス工程において形成されたものである。これにより、ＯＤＤユニット２１とストッパ部６０との接離方向におけるストッパ部６０と取付部６２との位置精度を確保することができる。これにより、ＯＤＤユニット２１がリア側リブ１００の側に移動してＯＤＤユニット２１の前面２１Ｇがリア側リブ１００に当接されても、孔部８２の他方側の端部８２Ｃとかしめナット７０との間の隙間Ｅを精度良く確保することができる。
【００５８】
次に、本実施形態の変形例について説明する。
【００５９】
本実施形態において、電子機器１０は、一例として、表示器一体型のパーソナルコンピュータとされていた。しかしながら、本実施形態におけるシャーシ２０及びＯＤＤユニット２１は、表示器一体型のパーソナルコンピュータ以外の電子機器に適用されても良い。
【００６０】
また、シャーシ本体２３には、ユニットの一例として、ＯＤＤユニット２１が搭載されていた。しかしながら、シャーシ本体２３には、ＯＤＤユニット２１の代わりに他のユニット（例えば、ハードディスクユニットやバッテリユニット等）が搭載されても良い。
【００６１】
また、バネ部４６は、シャーシ本体２３（搭載領域３２）における一方の側面支持部３８の側に形成されていた。しかしながら、シャーシ本体２３における他方の側面支持部４０の側にバネ部４６が形成され、このバネ部４６によって、ＯＤＤユニット２１が一方の側面支持部３８の側に付勢されても良い。この場合には、一方の側面支持部３８が第二側面支持部の一例となり、他方の側面支持部４０が第一側面支持部の一例となる。
【００６２】
また、シャーシ本体２３には、付勢部材の一例として、ガスケット５６，５８が設けられていたが、ＯＤＤユニット２１の底面２１Ｅと接触してＯＤＤユニット２１を上面支持部４２，４４の側に付勢する部材であれば、ガスケット５６，５８以外でも良い。
【００６３】
また、孔部８２は、シャーシ側コネクタ６４に形成され、軸部の一例であるかしめナット７０は、取付部６２に設けられていた。しかしながら、孔部８２は、取付部６２に形成され、かしめナット７０は、シャーシ側コネクタ６４に設けられても良い。この場合、孔部８２とかしめナット７０との位置関係は、図１０Ａ，図１０Ｂ，図１１Ａ，図１１Ｂの位置関係をかしめナット７０の軸を中心に反転させたものになる。
【００６４】
また、本実施形態では、軸部の一例として、かしめナット７０が用いられていたが、かしめナット７０以外の部材が用いられても良い。
【００６５】
なお、上記複数の変形例は、適宜、組み合わされて実施されても良い。
【００６６】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００６７】
なお、上述の本願の開示する技術の一態様に関し、更に以下の付記を開示する。
【００６８】
（付記１）
シャーシ本体と、
前記シャーシ本体に形成され、前記シャーシ本体に搭載されるユニットの側面を支持する側面支持部と、
前記側面支持部の高さ方向の端部に形成され、前記ユニットの上面を支持する上面支持部と、
前記シャーシ本体に形成され、前記ユニットの背面と当接するストッパ部と、
を備えた電子機器のシャーシ。
（付記２）
前記シャーシ本体には、前記側面支持部として、前記ユニットの一方の側面を支持する第一側面支持部と、前記ユニットの他方の側面を支持する第二側面支持部とが形成され、
前記シャーシ本体における前記第一側面支持部の側には、前記ユニットを前記第二側面支持部の側に付勢するバネ部が形成されている、
付記１に記載の電子機器のシャーシ。
（付記３）
前記シャーシ本体には、前記ユニットの底面と接触し前記ユニットを前記上面支持部の側に付勢する付勢部材が設けられている、
付記１又は付記２に記載の電子機器のシャーシ。
（付記４）
前記付勢部材は、前記ユニットの奥行方向を長手方向として延在するガスケットである、
付記３に記載の電子機器のシャーシ。
（付記５）
前記側面支持部、前記上面支持部、及び、前記ストッパ部は、板金加工により前記シャーシ本体に一体に形成されている、
付記１〜付記４のいずれか一項に記載の電子機器のシャーシ。
（付記６）
付記１〜付記５のいずれか一項に記載の電子機器のシャーシと、
前記ユニットと、
を備えた電子機器。
（付記７）
前記ユニットは、光ディスクドライブユニットである、
付記６に記載の電子機器。
（付記８）
前記ユニットに設けられたユニット側コネクタと、
前記ユニット側コネクタと接続されるシャーシ側コネクタと、
前記シャーシ本体に形成された取付部と、
前記ユニットと前記ストッパ部との接離方向に相対移動可能に前記シャーシ側コネクタを前記取付部に固定する固定部とをさらに備えた、
付記６又は付記７に記載の電子機器。
（付記９）
前記シャーシ及び前記ユニットを覆うカバーをさらに備えた、
付記８に記載の電子機器。
（付記１０）
前記カバーには、前記ユニットの前面と対向する規制部が形成されている、
付記９に記載の電子機器。
（付記１１）
前記固定部は、
前記シャーシ側コネクタ及び前記取付部の一方に形成されると共に、前記ユニットと前記ストッパ部との接離方向に延びる両側一対の縁部を有する孔部と、
前記シャーシ側コネクタ及び前記取付部の他方に設けられ、前記両側一対の縁部の延びる方向を前記孔部に対する相対移動方向として前記孔部に挿入されると共に前記両側一対の縁部によって該両側一対の縁部の対向方向への移動が規制された軸部とを有している、
付記１０に記載の電子機器。
（付記１２）
前記ユニットの背面が前記ストッパ部に当接されている状態において、前記軸部は、前記両側一対の縁部の延びる方向における前記孔部の一方側に位置し、且つ、前記両側一対の縁部の延びる方向における前記孔部の他方側の端部と前記軸部との間の隙間は、前記ユニットと前記規制部との間の隙間よりも大である、
付記１１に記載の電子機器。
（付記１３）
前記規制部は、前記ユニットの横幅方向に離間する一対のリブである、
付記１２に記載の電子機器。
（付記１４）
前記軸部が前記両側一対の縁部の延びる方向における前記孔部の一方側の端部に当接された状態で前記ユニットが前記ストッパ部に当接されることに伴って、前記シャーシ側コネクタは、前記ユニット側コネクタと接続される、
付記１２又は付記１３に記載の電子機器。
（付記１５）
前記孔部は、前記シャーシ側コネクタに形成され前記取付部と重ね合わされたフランジ部に形成され、
前記軸部は、前記取付部に設けられたかしめナットであり、
前記固定部は、前記軸部が前記孔部に挿入された状態で前記かしめナットと螺合されたネジを有している、
付記１１〜付記１４のいずれか一項に記載の電子機器。
（付記１６）
前記かしめナットの上部は、前記フランジ部の上面に対して突出している、
付記１５に記載の電子機器。
（付記１７）
前記ストッパ部及び前記取付部は、板金加工により前記シャーシ本体に一体に形成されている、
付記８〜付記１６のいずれか一項に記載の電子機器。
（付記１８）
前記ストッパ部及び前記取付部は、板金加工時に同一のプレス工程において形成されたものである、
付記１７に記載の電子機器。
（付記１９）
前記ストッパ部及び前記取付部は、前記シャーシ本体の厚み方向に突出して形成されている、
付記１８に記載の電子機器。
（付記２０）
シャーシ本体を有するシャーシと、
前記シャーシ本体に搭載されるユニットと、
前記ユニットに設けられたユニット側コネクタと、
前記ユニット側コネクタと接続されるシャーシ側コネクタと、
前記シャーシ本体に設けられた取付部と、
前記シャーシ側コネクタ及び前記取付部の一方に形成されると共に、前記シャーシ本体の延在方向に沿って延びる両側一対の縁部を有する孔部と、
前記シャーシ側コネクタ及び前記取付部の他方に設けられ、前記両側一対の縁部の延びる方向を前記孔部に対する相対移動方向として前記孔部に挿入されると共に前記両側一対の縁部によって該両側一対の縁部の対向方向への移動が規制されたた軸部と、
を備えた電子機器。
【符号の説明】
【００６９】
１０  電子機器
１４  リアカバー（カバーの一例）
２０  シャーシ
２１  光ディスクドライブユニット／ＯＤＤユニット（ユニットの一例）
２１Ａ，２１Ｂ  ＯＤＤユニットの側面
２１Ｃ，２１Ｄ  ＯＤＤユニットの上面
２１Ｅ  ＯＤＤユニットの底面
２１Ｆ  ＯＤＤユニットの背面
２１Ｇ  ＯＤＤユニットの前面
２３  シャーシ本体
３２  搭載領域
３８  側面支持部（第一側面支持部の一例）
４０  側面支持部（第二側面支持部の一例）
４２，４４  上面支持部
４６  バネ部
５６，５８  ガスケット（付勢部材の一例）
６０  ストッパ部
６２  取付部
６４  シャーシ側コネクタ
７０  かしめナット（軸部の一例）
７０Ａ  かしめナットの上部
７２  ユニット側コネクタ
８０  フランジ部
８０Ａ  フランジ部の上面
８２  孔部
８２Ａ  孔部の両側一対の縁部
８２Ｂ  孔部の一方側の端部
８２Ｃ  孔部の他方側の端部
８４  ネジ
８６  固定部
１００  リア側リブ（規制部及びリブの一例）
【図１】
2014211931.tif 000003
【図２Ａ】
2014211931.tif 000004
【図２Ｂ】
2014211931.tif 000005
【図３】
2014211931.tif 000006
【図４】
2014211931.tif 000007
【図５】
2014211931.tif 000008
【図６】
2014211931.tif 000009
【図８】
2014211931.tif 000010
【図９Ａ】
2014211931.tif 000011
【図９Ｂ】
2014211931.tif 000012
【図１０Ａ】
2014211931.tif 000013
【図１０Ｂ】
2014211931.tif 000014
【図１１Ａ】
2014211931.tif 000015
【図１１Ｂ】
2014211931.tif 000016
【図７】
2014211931.tif 000017